【手続補正書】
【提出日】平成19年6月19日(2007.6.19)
【手続補正１】
【補正対象書類名】明細書
【補正対象項目名】発明の名称
【補正方法】変更
【補正の内容】
【発明の名称】座標入力装置、およびタッチパネル式座標入力装置
【手続補正２】
【補正対象書類名】明細書
【補正対象項目名】特許請求の範囲
【補正方法】変更
【補正の内容】
【特許請求の範囲】
【請求項１】 表示内容を表示する表示面と対応する座標入力面に対する座標の入力を検知する入力検知部と、入力された座標の位置を算出する位置算出部とを有した座標入力装置であって、
前記座標入力面の第１の点と第２の点とがタッチされている際に、前記第１の点と前記第２の点との距離が近づく方向へ第１の点又は第２の点のドラッグ操作があれば前記表示面の表示内容を縮小して表示し、
前記座標入力面の第１の点と第２の点とがタッチされている際に、前記第１の点と前記第２の点との距離が離れる方向に第１の点又は第２の点のドラッグ操作があれば前記表示面の表示内容を拡大して表示することを特徴とする座標入力装置。
【請求項２】 表示内容を表示する表示面と対応する座標入力面に対する座標の入力を検知する入力検知部と、入力された座標の位置を算出する位置算出部とを有した座標入力装置であって、
前記座標入力面の第１の点がタッチされた後に、前記第１の点と異なる前記座標入力面の第２の点への座標の入力が検知された場合には、前記第１の点から前記第２の点に向かう方向に基づき、前記表示面に表示された表示内容をスクロールして表示することを特徴とする座標入力装置。
【請求項３】  各種アプリケーションプログラムの処理結果を表示する表示面を有し、前記表示面に対して座標が入力されることにより前記各種アプリケーションプログラムの処理をおこなうタッチパネル式座標入力装置であって、
前記表示面に対する座標の入力を検知する座標検知手段と、
前記座標検知手段により検知された座標の位置を算出する位置算出手段と、
前記各種アプリケーションプログラムの処理結果を前記表示面に表示する表示手段と、
前記座標検知手段により検知された座標および前記位置算出手段により算出された当該座標の位置に基づいて、前記表示面における同一座標位置への入力状態が維持されていることを判断するタッチ維持判断手段と、
前記座標検知手段により検知された座標および前記位置算出手段により算出された当該座標の位置に基づいて、前記表示面における同一座標位置への所定の時間間隔内における入力開始および入力終了の事象が生じたことを判断するクリック判断手段と、
前記タッチ維持判断手段により前記表示面上のある座標位置への入力状態が維持されていると判断され、かつ、前記クリック判断手段により前記ある座標位置とは異なる座標位置への前記事象が生じたと判断された場合に、前記表示手段を制御して、所定の機能の割り付けられたツールバーを、前記ある位置もしくは当該位置の近傍または前記異なる位置もしくは当該位置の近傍に表示する表示制御手段と、
を備えたことを特徴とするタッチパネル式座標入力装置。
【請求項４】  各種アプリケーションプログラムの処理結果を表示する表示面を有し、前記表示面に対して座標が入力されることにより前記各種アプリケーションプログラムの処理をおこなうタッチパネル式座標入力装置であって、
前記表示面に対する座標の入力を検知する座標検知手段と、
前記座標検知手段により検知された座標の位置を算出する位置算出手段と、
描画アプリケーションプログラムの実行による描画処理をおこなう際に使用する描画ポインタであって、描画色と描画線太さからなる描画属性が備わっている描画ポインタを前記表示面上に表示する描画ポインタ表示手段と、
前記座標検知手段により検知された座標および前記位置算出手段により算出された当該座標の位置に基づいて、前記表示面における同一座標位置への入力状態が維持されていることを判断するタッチ維持判断手段と、
前記座標検知手段により検知された座標および前記位置算出手段により算出された当該座標の位置に基づいて、前記表示面における同一座標位置への所定の時間間隔内における入力開始および入力終了の事象が生じたことを判断するクリック判断手段と、
前記描画ポインタ表示手段により表示された描画ポインタの座標位置において前記タッチ維持判断手段により前記入力状態が維持されていると判断され、かつ、前記クリック判断手段により前記描画ポインタの座標位置とは異なる座標位置への前記事象があったと判断された場合に、前記描画ポインタの描画属性を変更するダイヤログボックスを表示する表示制御手段と、
を備えたことを特徴とするタッチパネル式座標入力装置。
【請求項５】  各種アプリケーションプログラムの処理結果を表示する表示面を有し、前記表示面に対して座標が入力されることにより前記各種アプリケーションプログラムの処理をおこなうタッチパネル式座標入力装置であって、
前記表示面に対する座標の入力を検知する座標検知手段と、
前記座標検知手段により検知された座標の位置を算出する位置算出手段と、
描画アプリケーションプログラムの実行により前記表示面上に線図を表示する線図表示手段と、
前記座標検知手段により検知された座標および前記位置算出手段により算出された当該座標の位置に基づいて、前記表示面における同一座標位置への入力状態が維持されていることを判断するタッチ維持判断手段と、
前記座標検知手段により検知された座標および前記位置算出手段により算出された当該座標の位置に基づいて、前記表示面における同一座標位置への所定の時間内における入力開始および入力終了の事象が生じたことを判断するクリック判断手段と、
前記線図表示手段により表示された線図上のある座標位置において前記タッチ維持判断手段により前記入力状態が維持されていると判断され、かつ、前記クリック判断手段により前記線図上ではない座標位置への前記事象があったと判断された場合に、前記描画アプリケーションプログラムの実行に移行し、前記ある座標位置で描画された線図と同一の描画属性を有する描画ツールを表示する表示制御手段と、
を備えたことを特徴とするタッチパネル式座標入力装置。
【請求項６】  各種アプリケーションプログラムの処理結果を表示する表示面を有し、前記表示面に対して座標が入力されることにより前記各種アプリケーションプログラムの処理をおこなうタッチパネル式座標入力装置であって、
前記表示面に対する座標の入力を検知する座標検知手段と、
前記座標検知手段により検知された座標の位置を算出する位置算出手段と、
描画アプリケーションプログラムの実行により前記表示面上に線図を表示する線図表示手段と、
前記座標検知手段により検知された座標および前記位置算出手段により算出された当該座標の位置に基づいて、前記線図表示手段により表示された線図上のいずれか２つの位置に座標が入力されていることを検知する２点タッチ検知手段と、
前記２点タッチ検知手段により前記線図上のいずれか２つの位置に座標が入力されていることが検知された場合に、前記描画アプリケーションプログラムの実行に移行し、前記線図を消去する消去ツールを表示する表示制御手段と、
を備えたことを特徴とするタッチパネル式座標入力装置。
【請求項７】  各種アプリケーションプログラムの処理結果を表示する矩形の表示面を有し、前記表示面に対して座標が入力されることにより前記各種アプリケーションプログラムの処理をおこなうタッチパネル式座標入力装置であって、
前記表示面に対する座標の入力を検知する座標検知手段と、
前記座標検知手段により検知された座標の位置を算出する位置算出手段と、
前記各種アプリケーションプログラムの処理結果を前記表示面に表示する表示手段と、
前記座標検知手段により検知された座標および前記位置算出手段により算出された当該座標の位置に基づいて、前記表示面における同一座標位置への入力状態が維持されていることを判断するタッチ維持判断手段と、
前記座標検知手段により検知された座標および前記位置算出手段により算出された当該座標の位置に基づいて、前記表示面における同一座標位置への所定の時間内における入力開始および入力終了の事象が生じたことを判断するクリック判断手段と、
前記タッチ維持判断手段により前記表示面端部の辺のある座標位置への入力状態が維持されていると判断され、かつ、前記クリック判断手段により前記ある座標位置とは異なる座標位置への前記事象があったと判断された場合に、前記表示手段を制御して、前記ある座標位置の属する辺に垂直な方向であって前記表示面側へ、前記表示手段により表示された表示内容をスクロールさせる表示制御手段と、
を備えたことを特徴とするタッチパネル式座標入力装置。
【請求項８】  各種アプリケーションプログラムの処理結果を表示する表示面を有し、前記表示面に対して座標が入力されることにより前記各種アプリケーションプログラムの処理をおこなうタッチパネル式座標入力装置であって、
前記表示面に対する座標の入力を検知する座標検知手段と、
前記座標検知手段により検知された座標の位置を算出する位置算出手段と、
前記各種アプリケーションプログラムの処理結果を前記表示面に表示する表示手段と、
前記座標検知手段により検知された座標および前記位置算出手段により算出された当該座標の位置に基づいて、前記表示面における同一座標位置への入力状態が維持されていることを判断するタッチ維持判断手段と、
前記座標検出手段により検出された座標および前記位置算出手段により算出された当該座標の位置に基づいて、入力される座標がある座標位置から隣接する座標位置へ順次移動する入力状態であることを判断するドラッグ判断手段と、
前記タッチ維持判断手段により前記表示面上のある座標位置への入力状態が維持されていると判断され、かつ、前記ドラッグ判断手段により前記ある座標位置とは異なる座標位置から前記ある座標位置の方向へ座標が移動する入力状態であると判断された場合には、前記ある位置を基点として前記表示手段により表示された表示画面を縮小し、前記ドラッグ判断手段により前記ある座標位置とは異なる座標位置から前記ある座標位置とは反対の方向へ座標が移動する入力状態であると判断された場合には、前記ある位置を基点として前記表示手段により表示された表示画面を拡大する表示制御手段と、
を備えたことを特徴とするタッチパネル式座標入力装置。
【手続補正３】
【補正対象書類名】明細書
【補正対象項目名】０００１
【補正方法】変更
【補正の内容】
【０００１】
【発明の属する技術分野】
本発明は、座標入力装置、およびタッチパネル式座標入力装置に関し、とくに、各種アプリケーションプログラムの処理結果を表示する表示面を有し、前記表示面に対して座標が入力されることにより前記各種アプリケーションプログラムの処理をおこなう座標入力装置、およびタッチパネル式座標入力装置に関する。
【手続補正４】
【補正対象書類名】明細書
【補正対象項目名】０００８
【補正方法】変更
【補正の内容】
【０００８】
【課題を解決するための手段】
上記の目的を達成するために、請求項１に記載の座標入力装置は、表示内容を表示する表示面と対応する座標入力面に対する座標の入力を検知する入力検知部と、入力された座標の位置を算出する位置算出部とを有した座標入力装置であって、前記座標入力面の第１の点と第２の点とがタッチされている際に、前記第１の点と前記第２の点との距離が近づく方向へ第１の点又は第２の点のドラッグ操作があれば前記表示面の表示内容を縮小して表示し、前記座標入力面の第１の点と第２の点とがタッチされている際に、前記第１の点と前記第２の点との距離が離れる方向に第１の点又は第２の点のドラッグ操作があれば前記表示面の表示内容を拡大して表示することを特徴とする。
また、請求項２に記載の座標入力装置は、表示内容を表示する表示面と対応する座標入力面に対する座標の入力を検知する入力検知部と、入力された座標の位置を算出する位置算出部とを有した座標入力装置であって、前記座標入力面の第１の点がタッチされた後に、前記第１の点と異なる前記座標入力面の第２の点への座標の入力が検知された場合には、前記第１の点から前記第２の点に向かう方向に基づき、前記表示面に表示された表示内容をスクロールして表示することを特徴とする。
また、請求項３に記載のタッチパネル式座標入力装置は、各種アプリケーションプログラムの処理結果を表示する表示面を有し、前記表示面に対して座標が入力されることにより前記各種アプリケーションプログラムの処理をおこなうタッチパネル式座標入力装置であって、前記表示面に対する座標の入力を検知する座標検知手段と、前記座標検知手段により検知された座標の位置を算出する位置算出手段と、前記各種アプリケーションプログラムの処理結果を前記表示面に表示する表示手段と、前記座標検知手段により検知された座標および前記位置算出手段により算出された当該座標の位置に基づいて、前記表示面における同一座標位置への入力状態が維持されていることを判断するタッチ維持判断手段と、前記座標検知手段により検知された座標および前記位置算出手段により算出された当該座標の位置に基づいて、前記表示面における同一座標位置への所定の時間間隔内における入力開始および入力終了の事象が生じたことを判断するクリック判断手段と、前記タッチ維持判断手段により前記表示面上のある座標位置への入力状態が維持されていると判断され、かつ、前記クリック判断手段により前記ある座標位置とは異なる座標位置への前記事象が生じたと判断された場合に、前記表示手段を制御して、所定の機能の割り付けられたツールバーを、前記ある位置もしくは当該位置の近傍または前記異なる位置もしくは当該位置の近傍に表示する表示制御手段と、を備えたことを特徴とする。
【手続補正５】
【補正対象書類名】明細書
【補正対象項目名】０００９
【補正方法】変更
【補正の内容】
【０００９】
すなわち、請求項３にかかる発明は、ツールバーを簡単な操作で手元に表示させることができる。
【手続補正６】
【補正対象書類名】明細書
【補正対象項目名】００１０
【補正方法】変更
【補正の内容】
【００１０】
また、請求項４に記載のタッチパネル式座標入力装置は、各種アプリケーションプログラムの処理結果を表示する表示面を有し、前記表示面に対して座標が入力されることにより前記各種アプリケーションプログラムの処理をおこなうタッチパネル式座標入力装置であって、前記表示面に対する座標の入力を検知する座標検知手段と、前記座標検知手段により検知された座標の位置を算出する位置算出手段と、描画アプリケーションプログラムの実行による描画処理をおこなう際に使用する描画ポインタであって、描画色と描画線太さからなる描画属性が備わっている描画ポインタを前記表示面上に表示する描画ポインタ表示手段と、前記座標検知手段により検知された座標および前記位置算出手段により算出された当該座標の位置に基づいて、前記表示面における同一座標位置への入力状態が維持されていることを判断するタッチ維持判断手段と、前記座標検知手段により検知された座標および前記位置算出手段により算出された当該座標の位置に基づいて、前記表示面における同一座標位置への所定の時間間隔内における入力開始および入力終了の事象が生じたことを判断するクリック判断手段と、前記描画ポインタ表示手段により表示された描画ポインタの座標位置において前記タッチ維持判断手段により前記入力状態が維持されていると判断され、かつ、前記クリック判断手段により前記描画ポインタの座標位置とは異なる座標位置への前記事象があったと判断された場合に、前記描画ポインタの描画属性を変更するダイヤログボックスを表示する表示制御手段と、を備えたことを特徴とする。
【手続補正７】
【補正対象書類名】明細書
【補正対象項目名】００１１
【補正方法】変更
【補正の内容】
【００１１】
すなわち、請求項４にかかる発明は、描画属性を変更するダイヤログボックスを簡単な操作で表示させることができる。
【手続補正８】
【補正対象書類名】明細書
【補正対象項目名】００１２
【補正方法】変更
【補正の内容】
【００１２】
また、請求項５に記載のタッチパネル式座標入力装置は、各種アプリケーションプログラムの処理結果を表示する表示面を有し、前記表示面に対して座標が入力されることにより前記各種アプリケーションプログラムの処理をおこなうタッチパネル式座標入力装置であって、前記表示面に対する座標の入力を検知する座標検知手段と、前記座標検知手段により検知された座標の位置を算出する位置算出手段と、描画アプリケーションプログラムの実行により前記表示面上に線図を表示する線図表示手段と、前記座標検知手段により検知された座標および前記位置算出手段により算出された当該座標の位置に基づいて、前記表示面における同一座標位置への入力状態が維持されていることを判断するタッチ維持判断手段と、前記座標検知手段により検知された座標および前記位置算出手段により算出された当該座標の位置に基づいて、前記表示面における同一座標位置への所定の時間内における入力開始および入力終了の事象が生じたことを判断するクリック判断手段と、前記線図表示手段により表示された線図上のある座標位置において前記タッチ維持判断手段により前記入力状態が維持されていると判断され、かつ、前記クリック判断手段により前記線図上ではない座標位置への前記事象があったと判断された場合に、前記描画アプリケーションプログラムの実行に移行し、前記ある座標位置で描画された線図と同一の描画属性を有する描画ツールを表示する表示制御手段と、を備えたことを特徴とする。
【手続補正９】
【補正対象書類名】明細書
【補正対象項目名】００１３
【補正方法】変更
【補正の内容】
【００１３】
すなわち、請求項５にかかる発明は、線図描画をおこなう際の属性を速やかに設定することができる。
【手続補正１０】
【補正対象書類名】明細書
【補正対象項目名】００１４
【補正方法】変更
【補正の内容】
【００１４】
また、請求項６に記載のタッチパネル式座標入力装置は、各種アプリケーションプログラムの処理結果を表示する表示面を有し、前記表示面に対して座標が入力されることにより前記各種アプリケーションプログラムの処理をおこなうタッチパネル式座標入力装置であって、前記表示面に対する座標の入力を検知する座標検知手段と、前記座標検知手段により検知された座標の位置を算出する位置算出手段と、描画アプリケーションプログラムの実行により前記表示面上に線図を表示する線図表示手段と、前記座標検知手段により検知された座標および前記位置算出手段により算出された当該座標の位置に基づいて、前記線図表示手段により表示された線図上のいずれか２つの位置に座標が入力されていることを検知する２点タッチ検知手段と、前記２点タッチ検知手段により前記線図上のいずれか２つの位置に座標が入力されていることが検知された場合に、前記描画アプリケーションプログラムの実行に移行し、前記線図を消去する消去ツールを表示する表示制御手段と、を備えたことを特徴とする。
【手続補正１１】
【補正対象書類名】明細書
【補正対象項目名】００１５
【補正方法】変更
【補正の内容】
【００１５】
すなわち、請求項６にかかる発明は、描画された線図を消去する消去するツールを簡単な操作で表示することができる。
【手続補正１２】
【補正対象書類名】明細書
【補正対象項目名】００１６
【補正方法】変更
【補正の内容】
【００１６】
また、請求項７に記載のタッチパネル式座標入力装置は、各種アプリケーションプログラムの処理結果を表示する矩形の表示面を有し、前記表示面に対して座標が入力されることにより前記各種アプリケーションプログラムの処理をおこなうタッチパネル式座標入力装置であって、前記表示面に対する座標の入力を検知する座標検知手段と、前記座標検知手段により検知された座標の位置を算出する位置算出手段と、前記各種アプリケーションプログラムの処理結果を前記表示面に表示する表示手段と、前記座標検知手段により検知された座標および前記位置算出手段により算出された当該座標の位置に基づいて、前記表示面における同一座標位置への入力状態が維持されていることを判断するタッチ維持判断手段と、前記座標検知手段により検知された座標および前記位置算出手段により算出された当該座標の位置に基づいて、前記表示面における同一座標位置への所定の時間内における入力開始および入力終了の事象が生じたことを判断するクリック判断手段と、前記タッチ維持判断手段により前記表示面端部の辺のある座標位置への入力状態が維持されていると判断され、かつ、前記クリック判断手段により前記ある座標位置とは異なる座標位置への前記事象があったと判断された場合に、前記表示手段を制御して、前記ある座標位置の属する辺に垂直な方向であって前記表示面側へ、前記表示手段により表示された表示内容をスクロールさせる表示制御手段と、を備えたことを特徴とする。
【手続補正１３】
【補正対象書類名】明細書
【補正対象項目名】００１７
【補正方法】変更
【補正の内容】
【００１７】
すなわち、請求項７にかかる発明は、表示画面の内容を簡単な操作で上下左右にスクロールさせることができる。
【手続補正１４】
【補正対象書類名】明細書
【補正対象項目名】００１８
【補正方法】変更
【補正の内容】
【００１８】
また、請求項８に記載のタッチパネル式座標入力装置は、各種アプリケーションプログラムの処理結果を表示する表示面を有し、前記表示面に対して座標が入力されることにより前記各種アプリケーションプログラムの処理をおこなうタッチパネル式座標入力装置であって、前記表示面に対する座標の入力を検知する座標検知手段と、前記座標検知手段により検知された座標の位置を算出する位置算出手段と、前記各種アプリケーションプログラムの処理結果を前記表示面に表示する表示手段と、前記座標検知手段により検知された座標および前記位置算出手段により算出された当該座標の位置に基づいて、前記表示面における同一座標位置への入力状態が維持されていることを判断するタッチ維持判断手段と、前記座標検出手段により検出された座標および前記位置算出手段により算出された当該座標の位置に基づいて、入力される座標がある座標位置から隣接する座標位置へ順次移動する入力状態であることを判断するドラッグ判断手段と、前記タッチ維持判断手段により前記表示面上のある座標位置への入力状態が維持されていると判断され、かつ、前記ドラッグ判断手段により前記ある座標位置とは異なる座標位置から前記ある座標位置の方向へ座標が移動する入力状態であると判断された場合には、前記ある位置を基点として前記表示手段により表示された表示画面を縮小し、前記ドラッグ判断手段により前記ある座標位置とは異なる座標位置から前記ある座標位置とは反対の方向へ座標が移動する入力状態であると判断された場合には、前記ある位置を基点として前記表示手段により表示された表示画面を拡大する表示制御手段と、を備えたことを特徴とする。
【手続補正１５】
【補正対象書類名】明細書
【補正対象項目名】００１９
【補正方法】変更
【補正の内容】
【００１９】
すなわち、請求項８にかかる発明は、表示画面の拡大縮小を簡単な操作でおこなうことができる。
【手続補正１６】
【補正対象書類名】明細書
【補正対象項目名】００８４
【補正方法】変更
【補正の内容】
【００８４】
【発明の効果】
以上説明したように、本発明のタッチパネル式座標入力装置（請求項３）は、座標検知手段が表示面に対する座標の入力を検知し、位置算出手段が前記座標検知手段により検知された座標の位置を算出し、表示手段が前記各種アプリケーションプログラムの処理結果を前記表示面に表示し、タッチ維持判断手段が、前記座標検知手段により検知された座標および前記位置算出手段により算出された当該座標の位置に基づいて、前記表示面における同一座標位置への入力状態が維持されていることを判断し、クリック判断手段が、前記座標検知手段により検知された座標および前記位置算出手段により算出された当該座標の位置に基づいて、前記表示面における同一座標位置への所定の時間間隔内における入力開始および入力終了の事象が生じたことを判断し、表示制御手段が、前記タッチ維持判断手段により前記表示面上のある座標位置への入力状態が維持されていると判断され、かつ、前記クリック判断手段により前記ある座標位置とは異なる座標位置への前記事象が生じたと判断された場合に、前記表示手段を制御して、所定の機能の割り付けられたツールバーを、前記ある位置もしくは当該位置の近傍または前記異なる位置もしくは当該位置の近傍に表示するので、ツールバーを簡単な操作で手元に表示させることができ、これにより、操作性を維持できる大画面のタッチパネル式座標入力装置を提供することが可能となる。
【手続補正１７】
【補正対象書類名】明細書
【補正対象項目名】００８５
【補正方法】変更
【補正の内容】
【００８５】
また、本発明のタッチパネル式座標入力装置（請求項４）は、座標検知手段が表示面に対する座標の入力を検知し、位置算出手段が前記座標検知手段により検知された座標の位置を算出し、描画ポインタ表示手段が、描画アプリケーションプログラムの実行による描画処理をおこなう際に使用する描画ポインタであって、描画色と描画線太さからなる描画属性が備わっている描画ポインタを前記表示面上に表示し、タッチ維持判断手段が、前記座標検知手段により検知された座標および前記位置算出手段により算出された当該座標の位置に基づいて、前記表示面における同一座標位置への入力状態が維持されていることを判断し、クリック判断手段が、前記座標検知手段により検知された座標および前記位置算出手段により算出された当該座標の位置に基づいて、前記表示面における同一座標位置への所定の時間間隔内における入力開始および入力終了の事象が生じたことを判断し、表示制御手段が、前記描画ポインタ表示手段により表示された描画ポインタの座標位置において前記タッチ維持判断手段により前記入力状態が維持されていると判断され、かつ、前記クリック判断手段により前記描画ポインタの座標位置とは異なる座標位置への前記事象があったと判断された場合に、前記描画ポインタの描画属性を変更するダイヤログボックスを表示するので、描画属性を変更するダイヤログボックスを簡単な操作で表示させることができ、これにより、操作性を維持できる大画面のタッチパネル式座標入力装置を提供することが可能となる。
【手続補正１８】
【補正対象書類名】明細書
【補正対象項目名】００８６
【補正方法】変更
【補正の内容】
【００８６】
また、本発明のタッチパネル式座標入力装置（請求項５）は、座標検知手段が表示面に対する座標の入力を検知し、位置算出手段が前記座標検知手段により検知された座標の位置を算出し、線図表示手段が描画アプリケーションプログラムの実行により前記表示面上に線図を表示し、タッチ維持判断手段が、前記座標検知手段により検知された座標および前記位置算出手段により算出された当該座標の位置に基づいて、前記表示面における同一座標位置への入力状態が維持されていることを判断し、クリック判断手段が、前記座標検知手段により検知された座標および前記位置算出手段により算出された当該座標の位置に基づいて、前記表示面における同一座標位置への所定の時間内における入力開始および入力終了の事象が生じたことを判断し、表示制御手段が、前記線図表示手段により表示された線図上のある座標位置において前記タッチ維持判断手段により前記入力状態が維持されていると判断され、かつ、前記クリック判断手段により前記線図上ではない座標位置への前記事象があったと判断された場合に、前記描画アプリケーションプログラムの実行に移行し、前記ある座標位置で描画された線図と同一の描画属性を有する描画ツールを表示するので、線図描画をおこなう際の属性を速やかに設定することができ、操作性を維持できる大画面のタッチパネル式座標入力装置を提供することが可能となる。
【手続補正１９】
【補正対象書類名】明細書
【補正対象項目名】００８７
【補正方法】変更
【補正の内容】
【００８７】
また、本発明のタッチパネル式座標入力装置（請求項６）は、座標検知手段が表示面に対する座標の入力を検知し、位置算出手段が前記座標検知手段により検知された座標の位置を算出し、線図表示手段描画アプリケーションプログラムの実行により前記表示面上に線図を表示し、２点タッチ検知手段が、前記座標検知手段により検知された座標および前記位置算出手段により算出された当該座標の位置に基づいて、前記線図表示手段により表示された線図上のいずれか２つの位置に座標が入力されていることを検知し、表示制御手段が、前記２点タッチ検知手段により前記線図上のいずれか２つの位置に座標が入力されていることが検知された場合に、前記描画アプリケーションプログラムの実行に移行し、前記線図を消去する消去ツールを表示するので、描画された線図を消去する消去するツールを簡単な操作で表示することができ、これにより、操作性を維持できる大画面のタッチパネル式座標入力装置を提供することが可能となる。
【手続補正２０】
【補正対象書類名】明細書
【補正対象項目名】００８８
【補正方法】変更
【補正の内容】
【００８８】
また、本発明のタッチパネル式座標入力装置（請求項７）は、座標検知手段が表示面に対する座標の入力を検知し、位置算出手段が座標検知手段により検知された座標の位置を算出し、表示手段が各種アプリケーションプログラムの処理結果を前記表示面に表示し、タッチ維持判断手段が、前記座標検知手段により検知された座標および前記位置算出手段により算出された当該座標の位置に基づいて、前記表示面における同一座標位置への入力状態が維持されていることを判断し、クリック判断手段が、前記座標検知手段により検知された座標および前記位置算出手段により算出された当該座標の位置に基づいて、前記表示面における同一座標位置への所定の時間内における入力開始および入力終了の事象が生じたことを判断し、表示制御手段が前記タッチ維持判断手段により前記表示面端部の辺のある座標位置への入力状態が維持されていると判断され、かつ、前記クリック判断手段により前記ある座標位置とは異なる座標位置への前記事象があったと判断された場合に、前記表示手段を制御して、前記ある座標位置の属する辺に垂直な方向であって前記表示面側へ、前記表示手段により表示された表示内容をスクロールさせるので、表示画面の内容を簡単な操作で上下左右にスクロールさせることができ、これにより、操作性を維持できる大画面のタッチパネル式座標入力装置を提供することが可能となる。
【手続補正２１】
【補正対象書類名】明細書
【補正対象項目名】００８９
【補正方法】変更
【補正の内容】
【００８９】
また、本発明のタッチパネル式座標入力装置（請求項８）は、座標検知手段が表示面に対する座標の入力を検知し、位置算出手段が前記座標検知手段により検知された座標の位置を算出し、表示手段が前記各種アプリケーションプログラムの処理結果を前記表示面に表示し、タッチ維持判断手段が、前記座標検知手段により検知された座標および前記位置算出手段により算出された当該座標の位置に基づいて、前記表示面における同一座標位置への入力状態が維持されていることを判断し、ドラッグ判断手段が、前記座標検出手段により検出された座標および前記位置算出手段により算出された当該座標の位置に基づいて、入力される座標がある座標位置から隣接する座標位置へ順次移動する入力状態であることを判断し、表示制御手段が、前記タッチ維持判断手段により前記表示面上のある座標位置への入力状態が維持されていると判断され、かつ、前記ドラッグ判断手段により前記ある座標位置とは異なる座標位置から前記ある座標位置の方向へ座標が移動する入力状態であると判断された場合には、前記ある位置を基点として前記表示手段により表示された表示画面を縮小し、前記ドラッグ判断手段により前記ある座標位置とは異なる座標位置から前記ある座標位置とは反対の方向へ座標が移動する入力状態であると判断された場合には、前記ある位置を基点として前記表示手段により表示された表示画面を拡大するので、表示画面の拡大縮小を簡単な操作でおこなうことができ、これにより、操作性を維持できる大画面のタッチパネル式座標入力装置を提供することが可能となる。